(57)【特許請求の範囲】
【請求項１】
人体の皮膚に直接接触する接触面層と、
この接触面層に積層された情報表示層とを含み、
人体の四肢の少なくともいずれかひとつに巻き付けるリストバンドであって、
前記情報表示層には人体の個人情報を印字可能な印字領域および前記印字領域以外の非印字領域を設け、
前記接触面層はエンボス凹部とエンボス凸部とを交互に形成した表面形態で、
前記リストバンドの全面には複数個の孔径４０〜６０μｍの貫通孔を前記情報表示層から前記接触面層に向かって加工形成して設けるとともに、
前記印字領域に形成する前記貫通孔の孔径は、前記非印字領域に形成する前記貫通孔の孔径より小さくし、
前記印字領域に形成する前記貫通孔の密度は、前記非印字領域に形成する前記貫通孔の密度より粗くし、
前記貫通孔は前記接触面層の前記エンボス凹部の領域と一致させることを特徴とするリストバンド。
【発明の詳細な説明】
【技術分野】
【０００１】
本発明はリストバンドにかかるもので、とくに病院などにおいて患者の四肢たとえば手首あるいは足首に環状にゆるく巻き付けて個人情報を表示するためのリストバンドに関するものである。
【背景技術】
【０００２】
最近、病院などにおいて患者の診療科、氏名、年齢、血液型などその個人固有の識別データをリストバンドに印字して表示した上で、患者の四肢たとえば手首あるいは足首に環状にゆるく巻き付けて、患者の特定を確実にすることが行われている。
【０００３】
このリストバンドは、患者の肌に直接接触するものであるため、入院期間が長期にわたる場合には、その接触部位に蒸れやかぶれ、ないしは接触性皮膚炎（皮膚アレルギー）などの症状が出るおそれがあるという問題がある。
リストバンドとしては、所定の柔軟性および強靭性が要請されるため、その素材としてポリエチレンなどの合成樹脂が採用されているが、とくにリストバンドに付着して患者の皮膚との間に滞留する患者の汗その他の水分が患者の体温とあいまって蒸れとなり、種々の皮膚炎の遠因となっている可能性も指摘されている。
しかしながら、現状の合成樹脂材料では、透湿性の素材を確保することが困難で、上記汗や水分に起因する蒸れに対する対策が要請されている。
【０００４】
【特許文献１】特開２００５−２８３９９２号公報
【発明の開示】
【発明が解決しようとする課題】
【０００５】
本発明は以上のような諸問題にかんがみなされたもので、所定の柔軟性および強靭性を有するリストバンドを提供することを課題とする。
【０００６】
また本発明は、長期間の使用によっても人体との間に蒸れなどが発生することを防止ないし抑制可能なリストバンドを提供することを課題とする。
【０００７】
また本発明は、付着した水分の発散、および人体からの熱の放散を可能としたリストバンドを提供することを課題とする。
【０００８】
また本発明は、水分や汗などによる蒸れを防止可能であるとともに、その表面側に印字する各種情報を読み取ることができるリストバンドを提供することを課題とする。
【課題を解決するための手段】
【０００９】
すなわち本発明は、孔径が４０〜６０μｍの貫通孔をその全面にわたって複数個形成することに着目したもので、人体の皮膚に直接接触する接触面層と、この接触面層に積層された情報表示層とを含み、人体の四肢の少なくともいずれかひとつに巻き付けるリストバンドであって、上記情報表示層には人体の個人情報を印字可能な印字領域および上記印字領域以外の非印字領域を設け、上記接触面層はエンボス凹部とエンボス凸部とを交互に形成した表面形態で、前記リストバンドの全面には複数個の孔径４０〜６０μｍの貫通孔を前記情報表示層から前記接触面層に向かって加工形成して設けるとともに、上記印字領域に形成する上記貫通孔の孔径は、上記非印字領域に形成する上記貫通孔の孔径より小さくし、上記印字領域に形成する上記貫通孔の密度は、上記非印字領域に形成する上記貫通孔の密度より粗くし、上記貫通孔は上記接触面層の上記エンボス凹部の領域と一致させることを特徴とするリストバンドである。
【００１０】
上記孔径は、好ましくはこれを３０〜１００μｍとすることができる。
【００１１】
上記孔径は、好ましくはこれを４０〜６０μｍとすることができる。
【００１２】
当該リストバンドは、その複数枚を連続して帯状のリストバンド連続体としてあるとともに、これを移送して上記個人情報を印字可能としてあり、上記貫通孔のピッチは、当該リストバンドの移送方向に対して、これを最小で１０ｍｍとすることができる。
【００１３】
上記貫通孔のピッチは、当該リストバンドの上記移送方向と直交する方向に対して、これを最小で２ｍｍとすることができる。
【００１４】
当該リストバンドは、その複数枚を連続して帯状のリストバンド連続体としてあるとともに、これを移送して上記個人情報を印字可能としてあり、上記貫通孔のピッチは、当該リストバンドの移送方向に対して、これを最小で２ｍｍとすることができる。
【００１５】
上記貫通孔のピッチは、当該リストバンドの上記移送方向と直交する方向に対して、これを最小で１０ｍｍとすることができる。
【００１６】
上記個人情報を印字可能な印字領域に形成する上記貫通孔は、その上記孔径をより小さくすることができる。
【００１７】
上記個人情報を印字可能な印字領域以外の非印字領域に形成する上記貫通孔は、その孔径をより大きくすることができる。
【００１８】
上記個人情報を印字可能な印字領域に形成する上記貫通孔は、その密度をより粗くすることができる。
【００１９】
上記個人情報を印字可能な印字領域以外の非印字領域に形成する上記貫通孔は、その密度をより細かくすることができる。
【００２０】
上記貫通孔は、上記人体に接触する接触面層側から、上記個人情報を印字可能な情報表示層側に向かってこれを加工形成することができる。
【００２１】
上記貫通孔は、上記人体に接触する接触面層に施したエンボス加工のエンボス凹部の領域に一致させてこれを形成することができる。
【００２２】
上記貫通孔は、上記個人情報を印字可能な情報表示層側から、上記人体に接触する接触面層側に向かってこれを加工形成することができる。
【発明の効果】
【００２３】
本発明によるリストバンドにおいては、孔径が３０〜５００μｍの貫通孔をその全面にわたって複数個形成したので、これらの貫通孔を通して汗その他の水分および熱の散逸が可能となり、人体の皮膚との間に滞留する汗その他の水分が体温とあいまって蒸れとなり、種々の皮膚炎の遠因となることを防止可能である。
【発明を実施するための最良の形態】
【００２４】
本発明は、孔径が３０〜５００μｍの貫通孔をその全面にわたって複数個形成したので、人体の皮膚との間の蒸れを防止可能なリストバンドを実現した。
【実施例】
【００２５】
つぎに本発明の第１の実施例によるリストバンドを図１および図２にもとづき説明する。
図１は、リストバンド連続体１の平面図であって、リストバンド連続体１は、細長い矩形状のリストバンド形成片２を破断線などによる接断線３において長手方向に切り取り分離可能に接続した帯状の構成で、ロール状に巻き取った状態で任意の方式のプリンター（図示せず）に装填可能としてある。
それぞれの単一のリストバンド形成片２は、リストバンド４およびそのカス取り部５からなり、リストバンド４の外形線に沿った破断線などによる分離線６においてリストバンド４をカス取り部５から分離することにより、患者の手首などに巻き付ける使用形態とすることができる。
リストバンド連続体１は、これを上記任意のプリンターに装填し、リストバンド４の表面側に患者の個人情報を印字することができる。
【００２６】
すなわち、リストバンド４は、他の部分に対して比較的幅広の表示部７と、比較的短い幅狭のバンド固定部８と、比較的長い幅狭の長さ調節部９と、からなる。
表示部７は、印字領域１０と、印字領域１０以外の非印字領域１１と、を有しており、印字領域１０には、各種の、たとえば一次元バーコードあるいは二次元コードによるコード印字領域１２、および人間の目で視認可能なヒューマン文字や記号により、患者の診療科名、氏名や年齢その他を表示するヒューマン文字印字領域１３を設けてある。
【００２７】
バンド固定部８には、バンド固定用係止孔１４（たとえば１個）を形成し、長さ調節部９には同じ大きさの長さ調節用係止孔１５（たとえば８個）を形成し、リストバンド４を患者の手首に巻いたときにその環状の径を調節して任意のバンド固定用係止孔１４および長さ調節用係止孔１５どうしを固定用クリップ（図示せず）により固定して患者の手首に巻き付け固定可能とする。
【００２８】
図２は、リストバンド４（リストバンド連続体１、リストバンド形成片２）の拡大縦断面図であって、上層側から、情報表示層１６と、中間層１７と、接触面層１８と、を有し、それぞれの層をたとえば押出しラミネーション技術により積層する。
【００２９】
情報表示層１６は、上述した印字領域１０および非印字領域１１などをその表面に有する個人情報を印字可能な層であって、印字層として必要ならば所定の表面処理を施した合成紙その他の材料を採用する。
【００３０】
中間層１７は、リストバンド４としての強度（強靭性および曲げおよび引っ張り強度など）を確保するために、たとえばナイロン樹脂その他の材料を採用する。
【００３１】
接触面層１８は、患者の皮膚に直接接触する層であって、皮膚との接触親和性を保持しておく必要があり、その素材として、たとえばエチレンメタクリル酸共重合樹脂を採用する。
この接触面層１８にエンボス加工を施してあり、多数のエンボス凹部１８Ａおよびエンボス凸部１８Ｂが交互に形成された表面形態を有し、接触面層１８の横方向に水分や汗などの蒸気が拡散しやすいようにしている。
この接触面層１８におけるエンボス加工面側が人体の皮膚との間の接触面１８Ｃであり、人体の皮膚の動きに応じてエンボス凹部１８Ａあるいはエンボス凸部１８Ｂがその皮膚に接触することになる。
【００３２】
なお、この接触面層１８にはエンボス加工を施すことなく、この接触面１８の開放側を人体の皮膚との接触面１８Ｃとすることもできる。
【００３３】
とくに図２に示すように、情報表示層１６、中間層１７および接触面層１８を貫通して、リストバンド４の全面にわたって複数個の貫通孔１９を形成してある。
この貫通孔１９の孔径は、たとえば３０〜５００μｍとすることができ、好ましくはこれを３０〜１００μｍ、さらに好ましくはこれを４０〜６０μｍ、たとえば５０μｍとすることができる。
ただし、この貫通孔１９の形成によって、表示部７の印字領域１０における各種の印字内容が機械的にも人間の目によっても読み取りが可能であることが必要であり、たとえば、以下のように形成条件を選択することができる。
【００３４】
すなわち図１に示すように、リストバンド連続体１の長手方向にこれを移送するとともにその移送方向に沿ってコード印字領域１２にバーコードを印字するような場合、バーコードは通常その長さが１０ｍｍ程度のものが最小であるので、リストバンド連続体１の移送方向に対して貫通孔１９のピッチを最小で１０ｍｍとすれば、貫通孔１９が万一バーコードの位置に合致した場合であっても、バーコードの機械読取り操作に支障を生ずることはない。
また、リストバンド４への貫通孔１９の加工にあたっては、たとえば円形の加工ロール２０の円周上に所定のピッチで多数突出植設した極細の加工針２１を用いることができるが、針２１の植設の機械的限度から、リストバンド連続体１（リストバンド４）の幅方向すなわち、上記移送方向と直交する方向に対して、最小で２ｍｍとすることができる。
【００３５】
あるいは、コード印字領域１２にバーコードをリストバンド４の幅方向（図１に図示の場合から９０度回転した状態）に印字するような場合には、リストバンド連続体１の移送方向に対して、貫通孔１９のピッチを最小で２ｍｍとするとともに、リストバンド連続体１（リストバンド４）の幅方向に対して、同ピッチを最小で１０ｍｍとすることができる。
【００３６】
図１に示したリストバンド４においては、貫通孔１９をリストバンド連続体１（リストバンド形成片２）全体で均一なピッチで形成してあり、リストバンド４をリストバンド連続体１として加工する際に、事前にリストバンド連続体１の全面にわたって貫通孔１９を均一に加工形成したものを使用することができる。
【００３７】
なお、人体に接触する接触面層１８に施したエンボス加工のエンボス凹部１８Ａの領域に貫通孔１９を一致させるとともに、表面側の情報表示層１６側から、人体に接触する接触面層１８側に向かって加工針２１を突き刺すようにすることによって貫通孔１９を加工形成することができる。
この加工方法によれば、加工針２１による加工時に貫通孔１９の先端開口部（図中下方部）に発生する加工バリ２２をエンボス凹部１８Ａ内（エンボス凹部１８Ａの深さ内）に限定することが可能となり、人体の皮膚に無用の不快な接触感を与えることがない。
もちろん、図２に仮想線で示すように、貫通孔１９を人体に接触する接触面層１８側から情報表示層１６側に向かってこれを加工形成すれば、加工バリ２２がリストバンド４の表面側に位置するので、人体への影響をなくすことができる。
貫通孔１９の加工方法としては、レーザー光によるスポット加工方法その他任意の方法を採用することができる。
【００３８】
なお、図示の例では、接触面層１８の上層に、中間層１７および情報表示層１６を設けているが、情報表示層１６、中間層１７および接触面層１８の材料は任意であり、積層構造自体についても単層あるいは複層の任意の形態を採用可能である。
【００３９】
こうした構成のリストバンド４（リストバンド連続体１、リストバンド形成片２）を用いることにより、リストバンドとしての必要な諸特性を確保することができるとともに、とくに病院などにおいても長期にわたって安心して使用することができる。
すなわち、リストバンド４にはその厚さ方向に貫通して貫通孔１９を多数形成してあるので、リストバンド４と人体との間に滞留する可能性がある汗その他の水分は、接触面層１８のエンボス加工によるエンボス凹部１８Ａおよびエンボス凸部１８Ｂから横方向に拡散しやすいとともに、貫通孔１９を通して直接リストバンド４の表面側に透過し、かつ拡散して、この間隙部分における蒸れを確実に防止することができる。
【００４０】
本発明においては、リストバンドの領域に応じて、その孔径および密度を適宜選択することができる。
たとえば、図３は、本発明の第２の実施例によるリストバンド３０の平面図であって、リストバンド３０においては、個人情報を印字可能な印字領域１０に形成する貫通孔１９は、その孔径を非印字領域１１に形成する貫通孔１９のものより小さくしたり、あるいは同径であってもその密度をより粗くしている。
印字領域１０以外の非印字領域１１に形成する貫通孔１９は、その孔径をより大きくしたり、あるいは同径であってもその密度をより細かくすることができる（図示の例では、密度を変化させるように描いてある）。
したがって、図３に示すリストバンド３０においては、その印字領域１０の部分において、貫通孔１９の孔径がより小さく、あるいは粗い密度であって、非印字領域１１の部分およびカス取り部５の部分についてその孔径をより大きくしたり、あるいはその密度をより細かくしてある。
【００４１】
こうした構成のリストバンド３０によれば、印字領域１０のコード印字領域１２やヒューマン文字印字領域１３の部分の読み取りに支障がないようにするとともに、非印字領域１１やバンド固定部８および長さ調節部９の部分においては、貫通孔１９の孔径をより大きくしたり、その密度をより細かくしてあるため、蒸気および体温の放散をより推進させることができ、リストバンド３０全体において放散機能をより高めることが可能となる。
【００４２】
図４は、本発明の第３の実施例によるリストバンド４０の平面図であって、リストバンド４０においては、リストバンド連続体１として形成したのち、リストバンド４０の部分に限って貫通孔１９を形成してあるもので、貫通孔１９を均一に形成することもできるし、上述の第３の実施例によるリストバンド３０のように、印字領域１０および非印字領域１１に応じてその孔径や密度を変化させることもできる。
さらには、印字領域１０自体を避けて貫通孔１９を形成することもできる。
【００４３】
なお本発明によるリストバンドは、上述の説明では、病院における患者への使用に供されるリストバンド４、３０、４０として説明したが、入場チケットをはじめ、任意の個人の識別を可能とする識別用のリストバンドとして応用が可能である。
【図面の簡単な説明】
【００４４】
【図１】本発明の第１の実施例によるリストバンド４が連続した構成のリストバンド連続体１の平面図である。
【図２】同、リストバンド４（リストバンド連続体１、リストバンド形成片２）の拡大縦断面図である。
【図３】本発明の第２の実施例によるリストバンド３０の平面図である。
【図４】本発明の第３の実施例によるリストバンド４０の平面図である。
【符号の説明】
【００４５】
１  リストバンド連続体（図１）
２  リストバンド形成片
３  切断線
４  リストバンド（第１の実施例、図１、図２）
５  カス取り部
６  分離線
７  リストバンド４の表示部
８  リストバンド４のバンド固定部
９  リストバンド４の長さ調節部
１０  表示部７における印字領域
１１  表示部７における非印字領域
１２  印字領域１０におけるコード印字領域
１３  印字領域１０におけるヒューマン文字印字領域
１４  バンド固定部８におけるバンド固定用係止孔
１５  長さ調節部長さ９における調節用係止孔
１６  情報表示層（図２）
１７  中間層
１８  接触面層
１８Ａ  接触面層１８のエンボス凹部（図２）
１８Ｂ  接触面層１８のエンボス凸部（図２）
１８Ｃ  接触面層１８における人体の皮膚との接触面（図２）
１９  貫通孔
２０  加工ロール（図２）
２１  加工針
２２  加工バリ
３０  リストバンド（第２の実施例、図３）
４０  リストバンド（第３の実施例、図４）
【図１】
0004723377.tif 000002
【図２】
0004723377.tif 000003
【図３】
0004723377.tif 000004
【図４】
0004723377.tif 000005